(57)【特許請求の範囲】
【請求項１】
矩形状の荷支持台部と、この荷支持台部の左右両側辺の前端に立設された前側左右一対の支柱と、荷支持台部の後側辺の左右両端より内側に入った位置に立設された後側左右一対の支柱と、この後側左右一対の支柱間の背面パネルと、後側左右一対の支柱に背面パネルに重なる折り畳み姿勢に揺動可能に軸支されて当該後側左右一対の支柱から前側左右一対の支柱までを荷支持台部の周縁に沿って閉じる左右一対のＬ形側面パネルと、左右一対のＬ形側面パネルの少なくとも一方の前端に、前側左右一対の支柱間の開閉とＬ形側面パネルに重なる折り畳みとが可能に軸支された前面パネルとを有し、パレット段積み時には、前記支柱によって上側パレットを支持するように構成され、前記前面パネルは、前記Ｌ形側面パネルの前端に取り付けられて前側支柱の背面と内側面とに当接する断面アングル形の垂直部材の前側支柱内側面に当接する部分に軸支され、下側パレット内に上側パレットを前方に順次ずれるように嵌合させるネスティング時には、左右一対のＬ形側面パネル及び前面パネルを背面パネルの前側に重ねるように折り畳めるようにした、搬送用パレット。
【請求項２】
前面パネルは、左右一対の観音開き扉体から成り、各扉体が左右一対のＬ形側面パネルの前端の前記垂直部材の前側支柱内側面に当接する部分に軸支され、各扉体が左右一対のＬ形側面パネルの内側に重ねるように折り畳み可能である、請求項１に記載の搬送用パレット。
【請求項３】
外側に開かれた状態の前面パネルと、当該前面パネルを軸支するＬ形側面パネルとを、前側左右一対の支柱の外側を通って互いに連結する掛け外し自在な連結具が設けられている、請求項１又は２に記載の搬送用パレット。
【請求項４】
前記連結具が、Ｌ形側面パネルとその内側に重ねられた前面パネルとを互いに連結する掛け外し自在な連結具を兼用している、請求項３に記載の搬送用パレット。
【請求項５】
前記連結具が、前面パネルを内側に挟むように背面パネルの内側にＬ形側面パネルを折り畳んだ状態に於いて、前面パネルと背面パネルとを互いに連結する掛け外し自在な連結具、又は前面パネルとＬ形側面パネルとを背面パネルを経由して互いに連結する掛け外し自在な連結具を兼用している、請求項３又は４に記載の搬送用パレット。
【請求項６】
矩形状の荷支持台部と、この荷支持台部の左右両側辺の前端に立設された前側左右一対の支柱と、荷支持台部の後側辺の左右両端より内側に入った位置に立設された後側左右一対の支柱と、この後側左右一対の支柱間の背面パネルと、後側左右一対の支柱に背面パネルに重なる折り畳み姿勢に揺動可能に軸支されて当該後側左右一対の支柱から前側左右一対の支柱までを荷支持台部の周縁に沿って閉じる左右一対のＬ形側面パネルと、後側左右一対の支柱の上端と前側左右一対の支柱の上端との間に前後方向向きに支持されてパレット段積み時に上側パレットを支持する左右一対の前後方向向き部材と、前側左右一対の支柱間に上下複数段に架設される着脱自在な複数本のステーとを有し、前記左右一対の前後方向向き部材の後端部には、取り外して両端を前記左右一対の前後方向向き部材の上に載置した各ステーを保持するステー保持手段が設けられ、下側パレット内に上側パレットを前方に順次ずれるように嵌合させるネスティング時には、取り外した各ステーを前記ステー保持手段に保持させると共に左右一対のＬ形側面パネルを背面パネルの前側に重ねるように折り畳むようにした、搬送用パレット。
【請求項７】
前記ステー保持手段は、各ステーの両端下向き軸部が上下方向に抜き差し可能に嵌合する左右一対の被嵌合部を備えている、請求項６に記載の搬送用パレット。
【請求項８】
背面パネルとこの内側に重なるように折り畳まれたＬ形側面パネルとを互いに連結する掛け外し自在な連結具が設けられている、請求項６又は７に記載の搬送用パレット。
【請求項９】
左右一対のＬ形側面パネルを使用位置に展開したとき、当該Ｌ形側面パネルの前端部に於ける水平部材が乗り上げて嵌合する支持及び位置決め具が前側左右一対の支柱に付設されている、請求項１〜８の何れかに記載の搬送用パレット。
【発明の詳細な説明】
【０００１】
【発明の属する技術分野】
本発明は、側面パネルと背面パネル、及び前面を閉じる前面パネルか又は上下複数段のステーを備え、下側パレット内に上側パレットを前方に順次ずれるように嵌合させるネスティングが可能な搬送用パレットに関するものである。
【０００２】
【従来の技術】
この種のネスティング可能な搬送用パレットとして、矩形状の荷支持台部の左右両側辺の前端と、荷支持台部の後側辺の左右両端より内側に入った位置とにそれぞれ、段積み時の上側パレットを支持する支柱を立設したものが知られている。このような構造の搬送用パレットに於いて、荷支持台部からの荷の落下を防止するために、後側左右一対の支柱間を閉じる背面パネルと、後側左右一対の支柱から前側左右一対の支柱までを荷支持台部の周縁に沿って閉じる左右一対のＬ形側面パネルと、前側左右一対の支柱間を閉じる前面パネルを配設したものが考えられているが、ネスティング時には、左右一対のＬ形側面パネルと前面パネルとが邪魔になるので、従来は、これら左右一対のＬ形側面パネルと前面パネルとを支柱間から取り外すように構成していたので、ネスティングの前後に於いて、これら左右一対のＬ形側面パネルと前面パネルの取り外し及び取り付けに多大の手間と時間を必要としていた。
【０００３】
【課題を解決するための手段】
本発明は上記のような従来の問題点を解消し得る搬送用パレットを提供することを目的とするものであって、その手段を後述する実施形態の参照符号を付して示すと、矩形状の荷支持台部１と、この荷支持台部１の左右両側辺の前端に立設された前側左右一対の支柱４ａ，４ｂと、荷支持台部１の後側辺の左右両端より内側に入った位置に立設された後側左右一対の支柱５ａ，５ｂと、この後側左右一対の支柱５ａ，５ｂ間の背面パネル９と、後側左右一対の支柱５ａ，５ｂに背面パネル９に重なる折り畳み姿勢に揺動可能に軸支されて当該後側左右一対の支柱５ａ，５ｂから前側左右一対の支柱４ａ，４ｂまでを荷支持台部１の周縁に沿って閉じる左右一対のＬ形側面パネル１２，１３と、左右一対のＬ形側面パネル１２，１３の少なくとも一方の前端に、前側左右一対の支柱４ａ，４ｂ間の開閉とＬ形側面パネル１２，１３に重なる折り畳みとが可能に軸支された前面パネル１４，１５とを有し、パレット段積み時には、前記支柱４ａ〜５ｂによって上側パレットを支持するように構成され、前記前面パネル１４，１５は、前記Ｌ形側面パネル１２，１３の前端に取り付けられて前側支柱４ａ，４ｂの背面と内側面とに当接する断面アングル形の垂直部材２７の前側支柱４ａ，４ｂの内側面に当接する部分２７ｂに軸支され、下側パレット内に上側パレットを前方に順次ずれるように嵌合させるネスティング時には、左右一対のＬ形側面パネル１２，１３及び前面パネル１４，１５を背面パネル９の前側に重ねるように折り畳める構成となっている。
【０００４】
尚、具体的には、前面パネル１４，１５を左右一対の観音開き扉体１６〜１９から構成し、各扉体１６〜１９を左右一対のＬ形側面パネル１２，１３の前端に軸支して各扉体１６〜１９を左右一対のＬ形側面パネル１２，１３の内側に重ねるように折り畳み可能に構成することができる。
【０００５】
又、前面パネル１４，１５を外側に開いた状態で、当該前面パネル１４，１５と左右一対のＬ形側面パネル１２，１３とを、前側左右一対の支柱４ａ，４ｂの外側を通って互いに連結する掛け外し自在な連結具２９を設けることができる。この場合、当該連結具２９を、Ｌ形側面パネル１２，１３とその内側に重ねられた前面パネル１４，１５とを互いに連結する掛け外し自在な連結具にも兼用させることができるし、更に、当該連結具２９を、前面パネル１４，１５を内側に挟むように背面パネル９の内側にＬ形側面パネル１２，１３を折り畳んだ状態に於いて、前面パネル１４，１５と背面パネル９とを互いに連結する掛け外し自在な連結具として、或いは、前面パネル１４，１５とＬ形側面パネル１２，１３とを背面パネル９を経由して互いに連結する掛け外し自在な連結具としても兼用できるように構成することができる。
【０００７】
上記前面パネル１４，１５を使用しない場合は、前側左右一対の支柱４ａ，４ｂ間に上下複数段に架設される着脱自在な複数本のステー３６を使用し、下側パレット内に上側パレットを前方に順次ずれるように嵌合させるネスティング時には、各ステー３６を取り外すと共に左右一対のＬ形側面パネル１２，１３を背面パネル９の前側に重ねるように折り畳むように構成することができる。具体的には、後側左右一対の支柱５ａ，５ｂの上端と前側左右一対の支柱４ａ，４ｂの上端との間に前後方向向きに支持されてパレット段積み時に上側パレットを支持する左右一対の前後方向向き部材（位置決め用突条部材８ａ，８ｂ）の後端部に、取り外して両端を前記左右一対の前後方向向き部材（位置決め用突条部材８ａ，８ｂ）の上に載置した各ステー３６を保持するステー保持手段３８ａ，３８ｂを設けることができる。
【０００８】
この場合、前記ステー保持手段３８ａ，３８ｂは、各ステー３６の両端下向き軸部３６ａ，３６ｂが上下方向に抜き差し可能に嵌合する左右一対の被嵌合部４０を備えたものとし、このステー保持手段３８ａ，３８ｂにより、背面パネル９の前側に重ねるように折り畳んだ左右一対のＬ形側面パネル１２，１３の上方で各ステー３６を前後方向に並列支持するように構成することができる。又、背面パネル９とこの内側に重なるように折り畳まれたＬ形側面パネル１２，１３とを互いに連結する掛け外し自在な連結具４１を設けることができる。
【０００９】
更に、左右一対のＬ形側面パネル１２，１３を使用位置に展開したとき、当該Ｌ形側面パネル１２，１３の前端部に於ける水平部材３３ａ，３３ｂが乗り上げて嵌合する支持及び位置決め具３４を前側左右一対の支柱４ａ，４ｂに付設することができる。
【００１０】
【発明の実施の形態】
以下に本発明の好適実施形態を添付図に基づいて説明すると、図１〜図５に於いて、１は矩形状の荷支持台部であって、その底面の左右両側辺には、段積み時の位置決め用溝形部材２ａ，２ｂが前後方向向きに配設され、当該左右一対の溝形部材２ａ，２ｂ間で荷支持台部１の下側に前後方向に差し入れられるフォークリフトのフォークを位置決めする左右一対のフォークガイド３ａ，３ｂが配設されている。
【００１１】
荷支持台部１の左右両側辺の前端外側には前側左右一対の支柱４ａ，４ｂが立設され、荷支持台部１の後側辺の左右両端より内側に寄った位置の外側には後側左右一対の支柱５ａ，５ｂが立設されている。６は後側左右一対の支柱５ａ，５ｂの上端間に水平に架設された後側上端水平架設材であり、この後側上端水平架設材６の両端上側と、前側左右一対の支柱４ａ，４ｂの上端から内向きに片持ち状に突設された左右一対の前側上端水平支持材７ａ，７ｂの内端上側との間に、段積み時の位置決め用突条部材（アングル材を山形に伏せたもの）８ａ，８ｂが前後方向向きに架設されている。
【００１２】
後側左右一対の支柱５ａ，５ｂ間には、背面パネル９が架設されている。この背面パネル９は、両支柱５ａ，５ｂ間に水平に架設された上下複数段の水平部材１０と、後側上端水平架設材６と荷支持台部１の後側辺との間に適当間隔おきに架設された多数本の垂直部材１１とから構成された格子状のものであるが、板状のものであっても良い。又、前側左右一対の支柱４ａ，４ｂと後側左右一対の支柱５ａ，５ｂとの間には、荷支持台部１の周縁に沿って後端側が内向きに折曲するＬ形の側面パネル１２，１３が配設され、更に、前側左右一対の支柱４ａ，４ｂ間には、上下２段に前面パネル１４，１５が配設されている。各前面パネル１４，１５は、それぞれ左右一対の観音開き扉体１６，１７及び１８，１９から構成されている。
【００１３】
左右一対のＬ形側面パネル１２，１３は、格子状のパネル本体２０の後端と垂直パイプ材２１とを上下複数段の水平連結材２２で連結して成るもので、垂直パイプ材２１と上下一対のヒンジ２３ａ，２３ｂとを介して後側左右一対の支柱５ａ，５ｂの横外側面に水平揺動可能に支承されている。図７に示すように、各ヒンジ２３ａ，２３ｂは、後側左右一対の支柱５ａ，５ｂの横外側面に取り付けられるブラケット２４に前記垂直パイプ材２１の上下両端に内嵌するピン２５を上下相対向するように固着突設したものであり、下側ヒンジ２３ｂのブラケット２４は支柱５ａ，５ｂの横外側面に前以って固着され、この下側ヒンジ２３ｂのピン２５にＬ形側面パネル１２，１３の垂直パイプ材２１の下端を外嵌させた状態で、当該垂直パイプ材２１の上端にピン２５を内嵌させた上側ヒンジ２３ａのブラケット２４を支柱５ａ，５ｂの横外側面にボルト２６等により後付けするものである。しかして、各Ｌ形側面パネル１２，１３は、上下両ヒンジ２３ａ，２３ｂのブラケット２４間に於いて、各ヒンジ２３ａ，２３ｂのピン２５をガイドに昇降可能であり、重力により下側ヒンジ２３ｂのブラケット２４で支持されるレベルにある。
【００１４】
前面パネル１４，１５の左右一対の観音開き扉体１６〜１９は、左右一対のＬ形側面パネル１２，１３の前端に、断面アングル形の垂直部材２７と、各扉体１６〜１９ごとに上下２段のヒンジ２８とを介して水平揺動可能に軸支されている。断面アングル形の垂直部材２７は、図６及び図７に示すように、前側左右一対の支柱４ａ，４ｂの背面に当接する部分２７ａと各支柱４ａ，４ｂの内側面に当接する部分２７ｂとを有し、支柱背面当接部分２７ａに各Ｌ形側面パネル１２，１３のパネル本体２０の前端が固着され、支柱内側面当接部分２７ｂに各ヒンジ２８のパイプ材２８ａが固着され、観音開き扉体１６〜１９の外側端に固着された各ヒンジ２８の下向き屈曲ピン２８ｂを、対応する各ヒンジ２８のパイプ材２８ａに上から嵌合させることにより、各観音開き扉体１６〜１９を両Ｌ形側面パネル１２，１３の前端に支承している。
【００１５】
図１に示すように、前面パネル１４，１５の各観音開き扉体１６〜１９には、連結具２９が取り付けられている。この連結具２９は、ゴムベルトを使用したもので、図６に示すように、一端が各扉体１６〜１９の外側端寄り位置にある垂直部材３０ａに係止されると共に、他端にフック３１が取り付けられており、通常はフック３１を各扉体１６〜１９の内側端寄り位置にある垂直部材３０ｂに係止することにより、各扉体１６〜１９に保持されている。そして、図５Ａ及び図６にそれぞれ仮想線で示すように、各扉体１６〜１９を開くときはフック３１を各扉体１６〜１９の垂直部材３０ｂから外し、各扉体１６〜１９を開動限角度まで開いたとき、図６に仮想線で示すように連結具２９を、前側左右一対の支柱４ａ，４ｂの外側を通して各Ｌ形側面パネル１２，１３の外側へ引っ張り、フック３１を各Ｌ形側面パネル１２，１３の垂直部材３２に係止することにより、各扉体１６〜１９を開動限角度まで開いた状態に保持することができる。
【００１６】
図２、図６及び図７に示すように、前側左右一対の支柱４ａ，４ｂの背面には、Ｌ形側面パネル１２，１３のパネル本体２０に於ける上端水平部材３３ａと下端水平部材３３ｂとに対応するレベルで、上下一対の支持及び位置決め具３４が突設されている。これら支持及び位置決め具３４は、平面形状がＬ形の板材から成り、各Ｌ形側面パネル１２，１３を、その前端の断面アングル形垂直部材２７が前側左右一対の支柱４ａ，４ｂに当接する使用姿勢まで展開したとき、各Ｌ形側面パネル１２，１３の上端水平部材３３ａの前端下側と下端水平部材３３ｂの前端下側とに入り込む垂直板部３４ａの上縁には、各Ｌ形側面パネル１２，１３の上端水平部材３３ａ及び下端水平部材３３ｂが乗り上げて嵌合する凹部３４ｂが形成されており、各Ｌ形側面パネル１２，１３を使用姿勢に保持すると共に、各Ｌ形側面パネル１２，１３の前端部にかかる垂直荷重を受け止める。
【００１７】
以上のように構成された搬送用パレットは、図１に示すように前面パネル１４，１５の左右一対の観音開き扉体１６，１７及び１８，１９を閉じた状態で係止具３５により互いに連結することにより、荷支持台部１上に周囲を背面パネル９、左右一対のＬ形側面パネル１２，１３、及び上下２段の前面パネル１４，１５で囲まれた荷支持空間を形成することができ、荷支持台部１上に載置した荷を安全に搬送格納することができる。又、図１に仮想線で示すように、下段の搬送用パレットの左右一対の位置決め用突条部材８ａ，８ｂに上段の搬送用パレットの荷支持台部１の下側左右一対の溝形部材２ａ，２ｂが嵌合するように、上下に複数段、段積みすることができる。
【００１８】
荷を出し入れするときは、前記係止具３５を外して前面パネル１４，１５の左右一対の観音開き扉体１６，１７及び１８，１９を、図５Ａに仮想線で示すように左右外側に開けば良い。このとき、図６に示すように、各扉体１６〜１９を連結具２９により開動限角度まで開いた状態に保持することができる。左右一対のＬ形側面パネル１２，１３が前面パネル１４，１５の各扉体１６〜１９と共に内側へ（荷支持台部１上へ）不測に揺動することは、図７に示すように、Ｌ形側面パネル１２，１３のパネル本体２０に於ける上下両端水平部材３３ａ，３３ｂの前端が、前側左右一対の支柱４ａ，４ｂ側の支持及び位置決め具３４の凹部３４ｂに嵌合することにより、防止されている。
【００１９】
上記構成の搬送用パレットをネスティングするときは、図５Ｂに仮想線で示すように、先ず、係止具３５（図１参照）を外して前面パネル１４，１５の左右一対の観音開き扉体１６，１７及び１８，１９をフリーにし、各扉体１６〜１９を、Ｌ形側面パネル１２，１３との間のヒンジ２８を利用して内側へ回動させ、Ｌ形側面パネル１２，１３（パネル本体２０）の内側に重ねる。そして、その扉体１６〜１９と一体にＬ形側面パネル１２，１３を、後側左右一対の支柱５ａ，５ｂとの間のヒンジ２３ａ，２３ｂを利用して背面パネル９の内側に交互に重ねるように折り畳む。このＬ形側面パネル１２，１３の折り畳みに際して、上下一対のヒンジ２３ａ，２３ｂ間の遊びを利用して当該Ｌ形側面パネル１２，１３を持ち上げ気味に内側へ回動させることにより、そのパネル本体２０に於ける上下両端水平部材３３ａ，３３ｂを、前側左右一対の支柱４ａ，４ｂ側の支持及び位置決め具３４の凹部３４ｂから容易に離脱させることができる。
【００２０】
上記のように前面パネル１４，１５（観音開き扉体１６〜１９）とＬ形側面パネル１２，１３とを背面パネル９の内側に重ねるように折り畳んだならば、後は従来通り、図４に示すように、下側搬送パレットの背面パネル９の内側に折り畳まれたパネル群１２〜１５の前方側に上側搬送パレットの背面パネル９及び後側左右一対の支柱５ａ，５ｂが隣接すると共に、下側搬送パレットの前側左右一対の支柱４ａ，４ｂの前方に上側搬送用パネルの前側左右一対の支柱４ａ，４ｂが位置し、そして下側搬送用パレットの左右一対の位置決め用突条部材８ａ，８ｂの上方に上側搬送用パレットの左右一対の位置決め用突条部材８ａ，８ｂが前方に順次ずれて位置するように、下側搬送用パレットの荷支持台部１上に上側搬送用パレットの荷支持台部１を嵌合載置して、ネスティングすることができる。
【００２１】
上記実施形態では、上下２段に前面パネル１４，１５を設けているが、上下巾の大きな一つの前面パネルを使用することもできる。又、何れにしても、前面パネルを構成する各観音開き扉体１６〜１９とＬ形側面パネル１２，１３とを結合するヒンジの位置や構造を変えて、各観音開き扉体１６〜１９をＬ形側面パネル１２，１３の外側に重ねるように折り畳み可能に構成することもできる。この場合、前側左右一対の支柱４ａ，４ｂを逃げるために、Ｌ形側面パネル１２，１３を内側に折り畳みつつ各観音開き扉体１６〜１９をＬ形側面パネル１２，１３の外側に重ねるように折り畳めば良い。
【００２２】
又、前側左右一対の支柱４ａ，４ｂ間を閉じる１枚（上下方向に関しては複数枚あっても良い）の巾広前面パネルをＬ形側面パネル１２，１３の何れか一方の前端に折り畳み可能に軸支することもできる。この場合、Ｌ形側面パネル１２，１３の前後奥行き方向の長さよりも前面パネルの左右横巾が大きいときは、当該前面パネルを、複数枚の扉体を折り畳み可能に連結した折れ戸状に構成すれば良い。
【００２３】
Ｌ形側面パネル１２，１３の少なくとも一方に重ねるように折り畳み可能な前面パネルは、本発明に必須のものではなく、省くこともできる。又、図８及び図９に示すように、前面パネルに代えて、前側左右一対の支柱４ａ，４ｂ間に上下複数段に架設される着脱自在な複数本のステー３６を設けることもできる。この場合、搬送用パレットのネスティング時に取り外したステー３６を別の場所に保管するようにしても良いが、搬送用パレット自体に取り外したステー３６の保持手段を併設しておくのが望ましい。
【００２４】
その一例を、図８〜図１２に基づいて説明すると、各ステー３６は、両端に下向きに屈曲した下向き軸部３６ａ，３６ｂを有するもので、前側左右一対の支柱４ａ，４ｂの前面には、各ステー３６の下向き軸部３６ａ，３６ｂを上下方向に抜き差し可能に嵌合させる平面形状コ形の受け具３７が上下適当間隔おきに付設されている。そして、左右一対の位置決め用突条部材８ａ，８ｂの後端部外側にステー保持手段３８ａ，３８ｂが付設されている。
【００２５】
各ステー保持手段３８ａ，３８ｂは、図１２に示すように、位置決め用突条部材８ａ，８ｂの後端部下側に固着されて横外方に突出すると共に横外端部が下向きに折曲されたＬ形ブラケット３９の折曲垂直板部３９ａの外側に、各ステー３６の下向き軸部３６ａ，３６ｂを上下方向に抜き差し可能に嵌合させる被嵌合部４０を、ステー３６の本数分だけ前後方向に並設して成るものであり、各被嵌合部４０は、パイプ材から構成されている。
【００２６】
荷支持台部１上に載置された荷を搬送したり保管するときは、先の実施形態と同様に、Ｌ形側面パネル１２，１３を前後の支柱４ａ，５ａ間及び４ｂ，５ｂ間を塞ぐ使用位置まで展開し、支持及び位置決め具３４により位置決めしておく。そして、荷支持台部１上に荷を載置したならば、図８及び図９に示すようにステー３６を、その両端の下向き軸部３６ａ，３６ｂを前側左右一対の支柱４ａ，４ｂの前面の受け具３７にそれぞれ嵌合させることにより、前側左右一対の支柱４ａ，４ｂ間にステー３６を上下複数段に架設する。荷を取り出すときは、ステー３６の全部又は邪魔になるステー３６のみを受け具３７から取り外せば良い。
【００２７】
搬送用パレットをネスティングするときは、図１０及び図１１に示すように、全てのステー３６を取り外すと共に、両Ｌ形側面パレット１２，１３を先の実施形態に於いて説明した通り、後側左右一対の支柱５ａ，５ｂとの間のヒンジ２３ａ，２３ｂを利用して内側に回動させ、背面パネル９の内側に交互に重ねるように折り畳む。そして、取り外した各ステー３６を、その両端の下向き軸部３６ａ，３６ｂを左右両ステー保持手段３８ａ，３８ｂの各被嵌合部４０に上から嵌合させることにより、左右一対の位置決め用突条部材８ａ，８ｂの後端部上に各ステー３６が前後方向に並列して外嵌する状態に保持させる。このようにして保持されたステー３６群は、ネスティングのために背面パネル９の内側に重なるように折り畳まれたＬ形側面パネル１２，１３の上方（背面パネル９の前方上方位置）にあって、ネスティングに際して邪魔になることはない。
【００２８】
尚、図６に示した連結具２９は、図１３に実線で示すように、Ｌ形側面パレット１２，１３とその内側に重ねるように折り畳んだ前面パネル１４，１５（各扉体１６〜１９）とを互いに連結して、前面パネル１４，１５（各扉体１６〜１９）が不測に開くのを防止する連結具としても使用できる。この場合、連結具２９を引き延ばして先端のフック３１をＬ形側面パネル１２，１３の適当な位置にある垂直部材３２に係止すれば良い。又、前記連結具２９は、図１３に仮想線で示すように、前面パネル１４，１５（各扉体１６〜１９）を内側に挟むように背面パネル９の内側にＬ形側面パネル１２，１３を折り畳んだ状態に於いて、前面パネル１４，１５（各扉体１６〜１９）と背面パネル９とを互いに連結する掛け外し自在な連結具としても使用することができる。この場合、連結具２９を引き延ばして先端のフック３１を背面パネル９の適当な位置にある垂直部材１１に係止すれば良い。
【００２９】
更に、上記連結具２９は次のように使用することもできる。即ち、図１４Ａに示すように、全てのパネル１２〜１５を背面パネル９の内側に重ねるように折り畳んだ状態に於いて、背面パネル９から見て遠い側の前面パネル、図示例では扉体１６，１８に一端が係止されている連結具２９を、背面パネル９の適当な位置にある垂直部材１１の外側を経由させて当該反面パネル９の内側へ引っ張り、背面パネル９から見て遠い側のＬ形側面パネル、図示例ではＬ形側面パネル１２の適当な位置にある垂直部材３２に先端のフック３１を係止させることができる。
【００３０】
前面パネル１４，１５（各扉体１６〜１９）に一端が係止された連結具２９は、以上のように使用することができるが、この連結具２９は、Ｌ形側面パネル１２，１３の適当な位置にある垂直部材３２に一端を係止させ、他端にあるフック３１を前面パネル１４，１５（各扉体１６〜１９）や背面パネル９に掛け外し自在に係止させるように構成することもできる。勿論、場合によっては連結具２９の両端にフック３１を取り付け、連結具２９そのものを取り外し可能に構成することもできる。更に、図１４Ｂに示すように、背面パネル９の適当な位置にある垂直部材１１に連結具４１の一端を結合しておき、この連結具４１の他端のフック４２を、背面パネル９から見て遠い側のＬ形側面パネル、図示例ではＬ形側面パネル１２の適当な位置にある垂直部材３２に係止可能に構成することもできる。この図１４Ｂに示す実施形態は、前面パネル１４，１５を持たない図８〜図１２に示した実施形態に於いても適用可能である。
【００３１】
尚、連結具２９，４１としては、ゴムベルトの他、チェンや紐、棒状体等も利用できる。
【００３２】
【発明の効果】
本発明の搬送用パレットは以上のように実施し且つ使用することができるものであって、前面パネルを備えている場合、搬送用パレットどうしをネスティングする際には、左右一対のＬ形側面パネルの少なくとも一方に対して前面パネルを重ねるように折り畳み、そしてこの前面パネルと一体に左右一対のＬ形側面パネルを背面パネルの内側に交互に重ねるように折り畳むことができるので、ネスティングに際して前面パネルや側面パネルを取り外さなければならない場合と比較して、ネスティングのための準備作業やパレット使用前の準備作業に要する手間と時間が大巾に少なくなり、作業性が大巾に改善される。又、取り外したパネルを保管する場所を確保する必要もなくなり、取り外したパネルを無くしてしまう恐れもなくなる。更に、Ｌ形側面パネルの前端に前面パネルを水平揺動可能に軸支するものでありながら、前側左右一対の支柱の真後ろに側面パネルを配置すると共に、前側左右一対の支柱の真横に前面パネルを配置することができるので、各パネルを使用する状態での荷支持台部の荷載置領域が側面パネルによって狭められることがない。
【００３３】
なお、請求項２に記載の構成によれば、左右一対の観音開き扉体から成る前面パネルを左右一対のＬ形側面パネルの内側に重ねるように折り畳むのであるから、このＬ形側面パネルを背面パネルの内側に重ねるように折り畳んだとき、当該側面パネルがＬ形であることによって各Ｌ形側面パネルの内側に生じる空間を前面パネルの折り畳み収納空間として活用することができ、各パネルを背面パネルの内側に重ねるように折り畳んだときのパネル群が占有する空間の前後方向厚さを小さくすることができる。従って、各パネルを折り畳むタイプのものでありながら、ネスティング時の上下両搬送用パレット間の前後方向重なり代を大きくして、安定良くネスティングし得ると共に、ネスティングの段数を増やすことができる。
【００３４】
又、請求項３に記載の構成によれば、前面パネルを荷の出し入れ等のために前方外側に開いたとき、その開いた姿勢で前面パネルを連結具で保持することができ、荷の出し入れ作業に前面パネルが邪魔になるのを防止することができる。この場合、請求項４に記載の構成によれば、前記連結具をして、Ｌ形側面パネルの折り畳みに先立って当該Ｌ形側面パネルの内側に重ねるように折り畳んだ前面パネルが不測に開くのを防止する連結具としても活用することができ、更に、請求項５に記載の構成によれば、前記連結具をして、背面パネルの内側に折り畳んだ前面パネルやＬ形側面パネルが不測に開くのを防止する連結具としても活用することができ、専用の連結具を各別に設ける場合よりも経済的であり、しかも、パネルの折り畳み作業、延いてはネスティング作業を容易に行える。
【００３６】
更に、請求項６に記載の構成によれば、前面パネルに代えて着脱自在な上下複数段のステーを有する搬送用パレットに於いて、ネスティングに際し、取り外したステーをステー保持手段により、ネスティングの邪魔にならない背面パネルの前側にまとめて保持することができ、別の場所にステーを保管しなければならない場合と比較して、ネスティングのための準備作業やパレット使用前の準備作業に要する手間と時間が大巾に少なくなり、作業性が大巾に改善される。又、取り外したステーを保管する場所を確保する必要もなくなり、取り外したステーを無くしてしまう恐れもなくなる。
【００３７】
この場合、請求項７に記載の構成によれば、背面パネルの前側に重ねるように折り畳んだ左右一対のＬ形側面パネルの上方の空間に取り外したステーを簡単容易に並列保持させることができ、ネスティング時の上下搬送用パレット間の前後方向重なり代が、取り外したステーの保管により狭められることもない。
【００３８】
更に、請求項８に記載の構成によれば、背面パネルの内側に重なるように折り畳んだＬ形側面パネルを連結具により係止して、当該Ｌ形側面パネルが不測に開くのを防止することができるので、ネスティング作業を容易に行える。
【００３９】
又、請求項９に記載の構成によれば、使用位置に展開したＬ形側面パネルを当該使用位置に確実に位置決めすることができ、しかも、当該側面パネルの前端側にかかる垂直荷重を前側左右一対の支柱側で受け止めることができるので、当該側面パネルと後側左右一対の支柱との間のヒンジに無理な力がかかることがなく、耐用寿命が長くなる。特に、当該側面パネルの前端に前面パネルが軸支されている場合には、その前面パネルを含む大荷重を前側左右一対の支柱側で受け止めることができるので、一層効果的である。
【図面の簡単な説明】
【図１】  本発明の一実施形態に係る搬送用パレットの正面側端面図である。
【図２】  同パレットの側面図である。
【図３】  同パレットの背面側端面図である。
【図４】  同パレットのネスティング状態を示す側面図である。
【図５】  Ａ図は各パネルの使用状態を示す横断平面図であり、Ｂ図はネスティングに先立って各パネルを折り畳んだ状態を示す横断平面図である。
【図６】  各パネル使用状態での要部を示す横断平面図である。
【図７】  前側支柱に対するＬ形側面パネルの支持及び位置決め部分と、後側支柱に対するＬ形側面パネルの軸支部分とを、左右にずらして同時に示す一部縦断背面図である。
【図８】  別の実施形態に係る搬送用パレットの正面側端面図である。
【図９】  同パレットの側面図である。
【図１０】  同パレットのネスティングに先立って各パネルを折り畳んだ状態を示す横断平面図である。
【図１１】  同パレットのネスティング状態を示す側面図である。
【図１２】  ステー保持手段の詳細を示す要部の拡大斜視図である。
【図１３】  図６に示す連結具の別の使用方法を示す要部の横断平面図である。
【図１４】  Ａ図は前記連結具の更に別の使用方法を示す要部の横断平面図であり、Ｂ図は連結具の別の実施形態を示す要部の横断平面図である。
【符号の説明】
１    荷支持台部
４ａ，４ｂ    前側左右一対の支柱
５ａ，５ｂ    後側左右一対の支柱
９    背面パネル
１２，１３    Ｌ形側面パネル
１４，１５    上下２段の前面パネル
１６〜１９    前面パネルを構成する左右一対の観音開き扉体
２３ａ，２３ｂ    Ｌ形側面パネルの後端を軸支する上下一対のヒンジ
２７    断面アングル形の垂直部材
２８    各扉体軸支用ヒンジ
２９，４１    連結具
３３ａ，３３ｂ    Ｌ形側面パネルの上下両端水平部材
３４    Ｌ形側面パネル前端の支持及び位置決め具
３５    観音開き扉体間の係止具
３６    ステー
３７    受け具
３８ａ，３８ｂ    ステー保持手段
４０    ステー両端下向き軸部の被嵌合部
【図１】
0003680702.tif 000002
【図２】
0003680702.tif 000003
【図３】
0003680702.tif 000004
【図４】
0003680702.tif 000005
【図５】
0003680702.tif 000006
【図６】
0003680702.tif 000007
【図７】
0003680702.tif 000008
【図８】
0003680702.tif 000009
【図９】
0003680702.tif 000010
【図１０】
0003680702.tif 000011
【図１１】
0003680702.tif 000012
【図１２】
0003680702.tif 000013
【図１３】
0003680702.tif 000014
【図１４】
0003680702.tif 000015